(57)【要約】  本発明は、受け取り側住所に対応する発送先によって規定可能な順序に従って扁平な郵便物（４）を整理するための装置であって、循環するポケット環状路（５）の、オーバーラップ領域と言われる連続的な部分の下側に、これに対して相対的な速度で運動する集合コンベヤ（７）の部分が配置されていて、この部分は、ポケット（６）からの郵便物（４）を収容し、これらの郵便物（４）を積み重ね装置へとさらに搬送する形式のものに関する。集合コンベヤ（７）の搬送速度が、ポケット環状路（５）の搬送速度に合わせて、集合コンベヤ（７）の各区分（８）が、オーバーラップ領域に沿った運動中に、ポケット環状路（５）の全てのポケット（６）を少なくとも１度通過するように規定されている。郵便物（４）が、ポケット環状路（５）のポケット（６）から、読み取られた受け取り側住所に応じて集合コンベヤ（７）へと空けられ、これにより郵便物は、受け取り側住所により規定された順序で集合コンベヤ（７）から出て積み重ね装置に積み重ねられる。
2007504939.tif 000002
【特許請求の範囲】
【請求項１】
受け取り側住所に対応する発送先によって規定可能な順序に従って扁平な郵便物（４）を整理するための装置であって、
少なくとも１つの個別化装置（１）が設けられており、該個別化装置はそれぞれ、郵便物（４）上に記載された住所情報を確認するための後続の読み取り装置を有しており、
郵便物（４）が、各読み取り装置からそれぞれ１つのポケットローディングステーションへと搬送可能であって、このローディングステーションでは郵便物（４）が、仕分けするための循環ポケット環状路（５）のそれぞれ１つの空のポケット（６）にローディングされ、該ポケット（６）は制御されて下方に向かって開かれ、循環している搬送装置に堅固に結合されており、
ポケット環状路（５）の、オーバーラップ領域と言われる連続的な部分の下側に、これに対して相対的な速度で運動する搬送装置の部分が配置されていて、この部分は、ポケット（６）からの郵便物（４）を収容し、これらの郵便物（４）を積み重ね装置へとさらに搬送するための、複数の区分（８）に分けられた集合コンベヤ（７）を有しており、
集合コンベヤ（７）の搬送速度と搬送方向とが、その上方に配置されたポケット環状路（５）の搬送速度及び搬送方向に合わせて、集合コンベヤ（７）の各区分が、オーバーラップ領域に沿った運動中に、ポケット環状路（５）の全てのポケット（６）を少なくとも１度通過するように規定されており、
ポケット環状路（５）のポケット（６）からの郵便物（４）が、読み取られた受け取り側住所に応じて集合コンベヤ（７）へと空けられ、これにより郵便物は、受け取り側住所により規定された順序で集合コンベヤ（７）から出て積み重ね装置に積み重ねられることを特徴とする、規定可能な順序に従って扁平な郵便物を整理するための装置。
【請求項２】
ポケットローディングステーションでローディングされるポケット環状路（５）と、集合コンベヤ（７）を備えた搬送装置との間に、上方のポケット環状路（５）に対して異なる搬送速度及び／又は搬送方向で循環する別のポケット環状路（５）が配置されていて、該ポケット環状路（５）のポケットが、上方のポケット環状路（５）からの郵便物を収容し、集合コンベヤ（７）を有する搬送装置にオーバーラップ領域で引き渡す、請求項１記載の装置。
【請求項３】
単数又は複数の読み取り装置とポケット環状路（５）との間に、読み取られた郵便物（４）を収容するための循環する緩衝ポケット（３）を備えた緩衝貯え装置（２）が配置されており、読み取られた郵便物（４）はそれぞれポケットローディングステーションで緩衝ポケット（３）へとローディング可能であって、緩衝ポケットは郵便物（４）を少なくとも１つの出口で、制御して、仕分けするポケット環状路（５）の空のポケット（６）へと引き渡し、緩衝貯え装置（２）の搬送手段が、ポケット環状路（５）と同じ方向で、しかしながら異なる搬送速度で循環している、請求項１又は２記載の装置。
【請求項４】
緩衝ポケット（３）が、循環するエンドレス搬送手段に連結可能であって、この搬送手段から切り離し可能である、請求項３記載の装置。
【請求項５】
ポケット環状路（５）と集合コンベヤ（７）とが反対方向に循環している、請求項１又は２記載の装置。
【請求項６】
集合コンベヤ（７）の、オーバーラップ領域の外側に位置する部分の上方に、各受け取り側住所に分配すべき別の郵便物（４）を、受け取り側住所に対応する区分（８）にローディングするための装置が配置されている、請求項１又は２記載の装置。
【請求項７】
郵便物厚さを測定するためのセンサが設けられており、郵便物（４）を集合コンベヤ（７）の区分（８）へと、規定された最大の総高さまで放出することができ、必要とあらば、隣接する区分にも同じ発送先の郵便物をローディングする、請求項１又は２記載の装置。
【請求項８】
複数の隣接する発送先の郵便物（４）が、発送先により規定された順序で、集合コンベヤ（７）の区分（８）において互いに重なって位置する、請求項７記載の装置。
【請求項９】
集合コンベヤ（７）が、ポケット環状路（５）の一部の下方でＵ字形に配置されている、請求項１又は２記載の装置。
【請求項１０】
ポケット環状路（５）がオーバーラップ領域の外側で、所定の仕分け基準に従ってポケット（６）からの郵便物（４）を付加的に排出するための少なくとも１つのアンローディングステーション（１１）を有している、請求項１又は２記載の装置。
【請求項１１】
緩衝貯え装置（２）が、オーバーラップ領域の外側で、所定の仕分け基準に従って緩衝ポケット（３）からの郵便物を付加的に排出するための少なくとも１つのアンローディングステーション（１３）を有している、請求項３記載の装置。
【請求項１２】
ポケット環状路（５）の、オーバーラップ領域を越えて延びている、緩衝貯え装置（２）の出口の下側に位置しない部分が、緩衝貯え装置（２）の平面の上方または集合コンベヤ（７）の平面の下方に位置する付加的な平面に案内されていて、郵便物（４）はこれら両平面で同方向に循環している、請求項３記載の装置。
【請求項１３】
ポケット環状路（５）の高さ変化を伴う変向が、緩衝貯え装置（２）の内部で行われる、請求項１２記載の装置。
【請求項１４】
整理するための第２の装置が設けられており、該第２の装置は、第１の装置に対して、垂直軸線を中心として１８０°回転されていて、ポケット環状路（５）の、集合コンベヤ（７）上方に位置しない部分が、第１の整理するための装置のこれに相当する部分とは別の平面に位置しており、両装置は互いに内外に挿入されている、請求項１３記載の装置。
【請求項１５】
集合コンベヤ（７）と積み重ね装置との間に仕分けするための装置が設けられており、該仕分けするための装置において、各発送先に関して関連性のある郵便物が、積み重ねられる前にパッキングされ、まとめられる、請求項１又は２記載の装置。
【発明の詳細な説明】
【技術分野】
【０００１】
本発明は、受け取り側住所に対応する発送先によって規定可能な順序に従って扁平な郵便物を整理するための装置であって、少なくとも１つの個別化装置が設けられており、該個別化装置はそれぞれ、郵便物上に記載された住所情報を確認するための後続の読み取り装置を有しており、循環ポケット環状路が設けられており、該ポケット環状路の、制御して空にすることができるポケットに、それぞれ１つの読み取られた郵便物が供給される形式のものに関する。
【０００２】
所定の順序で整理するために中間貯え器を使用する手段が公知である（ＥＰ８２０８１８Ａ１）。この中間貯え器は袋またはそれに類似のものから成っていて、それぞれ１つの郵便物を収容し、命令に応じて実際の保管部にさらにひきわたすことができる。この場合、まず最初に、整理すべき全ての郵便物を任意の順番で中間貯え器のポケットにもたらす。次いで、郵便物が形成すべき最終的な順序で位置するように、郵便物を中間貯え器のポケットから取り出し、保管部へとひきわたす。各郵便物のために固有の収容部が設けられている。仕分けは、中間貯え器のポケットの２つの循環機構により行われる。一方の循環機構はポケットへの充填を行い、他方の循環機構はポケットを空にする。しかしながらこのためには多数の保管部が必要であり、各保管部には、中間貯え器の正しいポケットからの郵便物の引き渡しを促す制御機構を設けなければならない。
【０００３】
収容部にそれぞれ複数の郵便物を整理して重ねるような相応の手段も公知である。容器から収容部への郵便物の引き渡しは複数の循環機構で行われる。この場合、各収容部における郵便物の順番は、その都度の収容部に位置している郵便物の住所に対応する発送先の順番に相応している（ＤＥ１９９４３３６２Ａ１）。
【０００４】
ＵＳ３５７３７４８号特許明細書により公知の装置では、郵便物が、固定されたポケットから、複数の区分に分割された集合コンベヤへと空けられ、ＵＳ５４６２２６８号特許明細書により公知の装置では、郵便物が循環するポケットから容器へと、従って搬送装置の区分へとけられる。
【０００５】
本発明の課題は、郵便物が一度だけ個別化され、読み取られ、循環するポケット環状路によって所定の順序にもたらされ、郵便物を取り出すための手間が減じられ、別の郵便物または郵便物流を付加的に取り入れることができるような、受け取り側住所に対応する発送先によって規定可能な順序に従って扁平な郵便物を整理するための装置を提供することである。
【０００６】
この課題は本発明によれば、請求項１の特徴部により解決される。
【０００７】
ポケット環状路の、オーバーラップ領域と言われる連続的な部分の下側に、これに対して相対的な速度で運動する搬送装置の部分が配置されていて、この部分は、ポケットからの郵便物を収容し、これらの郵便物を積み重ね装置へとさらに搬送するための集合コンベヤを有している。集合コンベヤの搬送速度は、ポケット環状路の搬送速度に合わせて、集合コンベヤの各区分が、オーバーラップ領域に沿った運動中に、ポケット環状路の全てのポケットを少なくとも１度通過するように規定されており、ポケット環状路のポケットからの郵便物が、読み取られた受け取り側住所に応じて集合コンベヤへと空けられ、これにより郵便物は、受け取り側住所により規定された順序で集合コンベヤから出て積み重ね装置に積み重ねられる。
【０００８】
さらにこの装置は少なくとも１つの出口を有している。
【０００９】
本発明の有利な構成は請求項２以下に記載されている。
【００１０】
集合コンベヤのローディングから、ポケットローディングステーションにおけるポケットへのローディング過程を切り離すために、ポケット環状路と、集合コンベヤを備えた搬送装置との間に、上方のポケット環状路に対して異なる搬送速度及び／又は搬送方向で循環する別のポケット環状路が配置されていて、該ポケット環状路のポケットが、上方のポケット環状路からの郵便物を収容し、集合コンベヤを有する搬送装置にオーバーラップ領域で引き渡すと有利である。
【００１１】
郵便物を確実に隣接し、重なり合うように配置するために、集合コンベヤを、ウエブによって区分に分割すると有利である。
【００１２】
仕分け性能を損なうことなく一定ではない郵便物流入量を処理するために、単数又は複数の読み取り装置とポケット環状路との間に、読み取られた郵便物を収容するための循環する緩衝ポケットを備えた緩衝貯え装置が配置されている。読み取られた郵便物はそれぞれポケットローディングステーションで緩衝ポケットへとローディング可能であって、緩衝ポケットは郵便物を少なくとも１つの出口で制御して、仕分けするポケット環状路の空のポケットへと引き渡し、別の有利な構成では、循環するエンドレスな搬送手段に連結可能であって、この搬送手段から切り離し可能である。引き渡しの際には、緩衝貯え装置の緩衝ポケットが搬送手段に連結されて、引き渡される緩衝貯え器は同じ方向で、同じ速度で回転し、ローディングされるポケットに対して位置決めされる。
【００１３】
ポケット環状路と集合コンベヤとが反対方向に循環していて、これにより集合コンベヤの速度を比較的小さく維持することができるならば有利である。
【００１４】
ポケット環状路からの郵便物を別の郵便物または郵便物流と一緒に案内するために、集合コンベヤの、オーバーラップ領域の外側に位置する部分の上方に、有利には各受け取り側住所に分配すべき別の郵便物を、受け取り側住所に対応する区分にローディングするための装置が配置されている。郵便物を最大の所定の高さまでしか集合コンベヤ上に案内しないようにするために、郵便物厚さを測定するためのセンサが設けられている。配送先に対応する郵便物の総高さが限界値を超えると、隣接する領域にも必要に応じて、同じ配送先の郵便物をローディングすることもできる。
【００１５】
集合コンベヤの最適な利用のために、異なるが隣接する配送先の複数の郵便物も集合コンベヤの１つの区分にローディングすることができる。この場合、郵便物は、集合コンベヤの区分に、配送先により規定された順序で重ねられて位置しなければならない。
【００１６】
オーバーラップ領域を面積に関してできるだけ大きくするために、集合コンベヤが、ポケット環状路の一部の下方でＵ字形に配置されていると有利である。
【００１７】
ポケット環状路及び／又は緩衝貯え装置がオーバーラップ領域の外側で、所定の仕分け基準に従ってポケットからの郵便物を付加的に排出するための少なくとも１つのローディング・アンローディングステーションを有していると特に有利である。これにより、仕分けに加えて付加的に、所定の基準に応じた郵便物の個別化も実行可能である。
【００１８】
装置の面積をできるだけ小さく維持するために、ポケット環状路の、オーバーラップ領域を越えて延びている、緩衝貯え装置のアンローディングステーションの下側に位置しない部分が、緩衝貯え装置の平面の上方または集合コンベヤの平面の下方に位置する付加的な平面に案内されていて、郵便物はこれら両平面で同方向に循環していると有利である。この場合、ポケット環状路の高さ変化を伴う変向が、緩衝貯え装置の内部で行われると特に有利である。
【００１９】
第１の装置に加えて付加的に、整理するための第２の装置が設けられており、該第２の装置は、第１の装置に対して、垂直軸線を中心として１８０°回転されていて、ポケット環状路の、集合コンベヤ上方に位置しない部分で、第１の整理するための装置のこれに相当する部分とは別の平面に位置している。これにより両装置は入れ子式に互いに内外に挿入されている。これにより所要底面積は、別個に構成した場合の殆ど半分になる。
【００２０】
配達人の手作業を軽減するために、集合コンベヤと積み重ね装置との間に仕分けするための装置が設けられており、該仕分けするための装置において、各発送先に関して関連性のある郵便物が、積み重ねられる前に袋にパッキングされる、または貼り付けラベルが設けられる。
【００２１】
次に本発明の実施例を図面につき詳しく説明する。
【００２２】
郵便物４はまず最初に、公知の形式で個別化装置１においてパイルから個別化される。次いで、読み取り装置（図示せず）で、郵便物４の受け取り側の住所が検出され確認される。読み取られた郵便物４は次いで緩衝貯え装置２に導入される。ここで各郵便物４は、ローディングステーションを介して、循環している緩衝ポケット３に供給される。この場合、これらの緩衝ポケット３は制御されて、循環する搬送手段に連結可能であって、制御されてこの搬送手段から切り離し可能であって、引き渡しは連結状態で行われる。
【００２３】
処理流量的な理由から、複数の個別化装置１が設けられている場合は、郵便物４は各個別化装置１から別個のローディングステーションを介して緩衝ポケット３へと移送される。緩衝性により、個別化装置１からの一定でない導入流も、導入流に対して同期化していない及び／又は一定でない導出流も引き続き処理することができる。緩衝ポケット３は制御されて下方に向かって開かれ、その下で循環している別のポケット環状路５の空のポケット６に郵便物を引き渡す。この場合、これらのポケット６は循環する搬送装置に堅固に結合されている。ポケット環状路５と緩衝ポケット３は同方向に循環している。
【００２４】
郵便物４は制御されて、ポケット６のポケット底面の開放により下方に向かって集合コンベヤ７へと落下することにより、発送先に関してまとめることができる純情に応じた郵便物の整理が行われる。集合コンベヤ７はその上行区分でポケット環状路５とは反対方向に循環していて、所定の区分に分割されている。この場合、集合コンベヤ７は平面図ではＵ字形で、ポケット環状路５の下方に配置されている。即ち、ポケット環状路５は集合コンベヤ７よりも長い。
【００２５】
これらの搬送速度は、集合コンベヤ７の各区分８が、ポケット環状路５とのオーバラップ領域に沿って運動する間に、ポケット環状路５の全てのポケット６を一度通過するように互いに合わせられている。複数の郵便物４を１つの区分８に、確実な搬送とパイル排出特性（ｓ．ｈ）が保証される最大の総高さまでローディングすることができる。
【００２６】
集合コンベヤ７には、全てのまたは特別な受取側のための別の仕分け装置または導入装置からの郵便物が予め載せられていても良い。集合コンベヤ７の終端部には、規定された順序で容器９内に郵便物４を積み重ねて収容するための積み重ね装置が設けられている。集合コンベヤ７と積み重ね装置との間には割り当てるための装置を設けることもできる。この装置では、積み重ね前に発送先が関連性のある郵便物を袋に詰める、または貼り付けラベルを設ける。容器９の状態に応じて郵便物４を容器９に直立位置または水平位置で重ねることができる。郵便物４は集合コンベヤ７上に、適当な順序で集合コンベヤ７から出て行くようにローディングすることができる。異なる、しかしながら隣接する発送先の郵便物４が１つの区分にローディングされる場合は、発送先により規定された順序で重ねなければならない。
【００２７】
図４には説明のために順序が簡単な例で示されている。
【００２８】
ポケット環状路５に位置する郵便物４（図４ａ）は、容器内に、図４ｇに示したように上から下に、青、赤、緑、紫の順番で置くべきものである。ポケット環状路５と集合コンベヤ７は互いに反対方向に動いている。まず最初に、紫で示した郵便物を集合コンベヤ７の１つの区分に配置する（図４ｂ）。次いで、緑で示した郵便物４がこの区分の上方に位置すると、この緑の郵便物４は紫の郵便物の上に置かれ（図４ｃ）、青で示した郵便物４は、順番では最後の郵便物であるので、この区分を通り過ぎ、次の区分におろされる（図４ｄ）。図４ｅでは赤の郵便物４が、紫、緑の両郵便物４を有した区分に達し、最上位の郵便物として置かれる。これは予め測定されたこれらの郵便物の厚さが、１つの区分に３つの郵便物の保管が可能な程度であることを前提としている。次いで積み重ね装置で郵便物４は所望の順番で容器内で重ねられる（図４ｆ）。
【００２９】
整理するための装置をできるだけ小さな面積で取り付けるために、ポケット環状路５を２つの平面に通すことができる。
【００３０】
ポケット環状路５の、集合コンベヤ７にオーバーラップしていない部分は、水平軸線を中心として、オーバーラップ部分の上方または下方に折り重ね可能である。ポケット環状路５は原則的に、水平な８の字の延在を有していて、この８の字はその交点で折り返され、ここで緩衝貯え装置２によって取り囲まれる。ポケット環状路５のポケット６を開放するためのアクチュエータは、ポケット環状路５と集合コンベヤ７との間の同期化が一定の状態で定置に配置することができる。
【００３１】
装置をできるだけコンパクトに維持するために、図５に示したように平面の移行部で、装置の内室にわたって５４０°の変向が行われる。オーバーラップ領域の外側には、ポケット６にローディングするための緩衝貯え装置２の複数の出口１０、所定の仕分け基準に従ってポケット６から郵便物４を付加的に排出させるためのアンローディングステーション１１、緩衝ポケットに個別化装置１からの郵便物４をローディングするためのローディングステーション１２、分けられた郵便物を排出するための緩衝貯え装置２の出口１３が示されている。第２の別個の整理するための装置Ｂが、縦軸線を中心として１８０°回転されて、ポケット環状路５の、集合コンベヤ７にオーバーラップしない部分で逆に折られているならば、両装置Ａ、Ｂは図６に示したように互いに内外に接合することができる。この場合、一方の装置ではポケット環状路５の付加的な平面が、緩衝貯え装置２の平面の上方に、他方の装置では緩衝貯え装置２の平面の下方に位置している。これにより所要面積は僅かである。
【００３２】
ここに示した例は、勿論、当業者により、具体的な条件に応じて変更可能である。例えば１つの個別化装置が必要な流量を有していないならば、複数の個別化装置１で平行して複数の緩衝ポケット３に供給することができる。
【図面の簡単な説明】
【００３３】
【図１】ポケット環状路へのローディングを行っている、分配順序に応じて整理するための装置を概略的に示す側方図である。
【図２】複数の区分に分割された集合コンベヤへのローディングを行っている装置を概略的に示す側方図である。
【図３】整理するための装置を概略的に示す平面図である。
【図４】概略的な平面図で機能原理を示した図である。
【図５】複数の平面を備えた整理するための装置を示す斜視図である。
【図６】互いに内外に挿入された２つの整理するための装置を示す斜視図である。
【図１】
2007504939.tif 000003
【図２】
2007504939.tif 000004
【図３】
2007504939.tif 000005
【図４】
2007504939.tif 000006
【図５】
2007504939.tif 000007
【図６】
2007504939.tif 000008
【国際調査報告】
2007504939.tif 000009
2007504939.tif 000010
2007504939.tif 000011
2007504939.tif 000012